(57)【要約】【課題】  確実な電磁シールド機能とシール機能とを確保することができると共に、取付作業性及び表示器の表示の視認性の向上を図ることができる表示パネルの取付構造を提供する。【解決手段】  表示器１０を備えた表示ユニット９の前方に配置され、２枚のアクリル板６，７の間に電磁シールド材８を介装した状態で一体に成形されると共に、表示器１０を外部から視認可能な透明度を有する表示パネル１と、該表示パネル１が取り付けられる枠部２を有する筐体３と、枠部２と表示パネル１との間をシールするシリコンゴム製のシールパッキン４とを備え、表示パネル１を、電磁シールド材８が筐体３に電気的に接地するように枠部２に取り付ける。【選択図】  図１
2006269953.tif 000002
【特許請求の範囲】
【請求項１】
表示器を備えた表示ユニットの前方に配置され、２枚の板材の間に電磁シールド材を介装した状態で一体に成形されると共に、前記表示器を外部から視認可能な透明度をもたせた表示パネルと、
該表示パネルが取り付けられる枠部を有する筐体と、
該筐体の前記枠部と前記表示パネルとの間をシールするシール部材とを備え、
前記表示パネルを、前記電磁シールド材が前記筐体に電気的に接地するように、前記枠部に取り付けたことを特徴とする表示パネルの取付け構造。
【請求項２】
前記板材が、アクリル板であることを特徴とする請求項１に記載した表示パネルの取付構造。
【請求項３】
前記シール部材が、シリコンゴム製のシールパッキンであることを特徴とする請求項１又は２に記載した表示パネルの取付構造。
【請求項４】
前記表示パネルの前記表示器側から、該表示パネルを前記筐体の前記枠部に固定する固定プレートを備え、
前記表示パネルの前記２枚の板材のうちの、前記表示器側に配置された前記板材を、該表示器から離間する側に配置された前記板材より外形を小さくして、前記表示器から離間する側に配置された前記板材の裏面周縁に、前記電磁シールド材を露出させ、
該露出部分を前記固定プレートに接触させた状態で、該固定プレートを前記筐体に取り付けることにより、前記電磁シールド材を前記筐体に前記固定プレートを介して電気的に接地させたことを特徴とする請求項１〜３のいずれか一項に記載した表示パネルの取付構造。
【請求項５】
前記電磁シールド材の前記露出部分と前記固定プレートとの間に導電性部材を介装し、  該電磁シールド材を前記筐体に前記導電性部材及び前記固定プレートを介して電気的に接地させたことを特徴とする請求項４に記載した表示パネルの取付構造。
【請求項６】
前記導電性部材が、導電性塗料であることを特徴とする請求項５に記載した表示パネルの取付構造。
【請求項７】
前記固定プレートに前記表示ユニット側に向けて突出するスペーサを設け、
該スペーサに、該表示ユニットの前記表示器の周囲を当接させたことを特徴とする請求項４〜６のいずれか一項に記載した表示パネルの取付構造。
【請求項８】
前記スペーサの先端から前記固定プレートまで貫通するねじ挿通孔を形成し、
前記表示ユニット側から挿入したねじを前記ねじ挿通孔に挿通して、該ねじのねじ軸を前記筐体に締め付けることにより、前記固定プレート及び前記表示ユニットを前記筐体に一体に取り付けたことを特徴とする請求項７に記載した表示パネルの取付構造。
【発明の詳細な説明】
【技術分野】
【０００１】
本発明は、表示器を備えた表示ユニットの前方に配置される表示パネルの取付構造に関し、特に、電磁シールド機能とシール機能とを併せ持つ表示パネルの取付構造に関する。
【背景技術】
【０００２】
従来、電磁シールド機能とシール機能とを併せ持つ構造体として、例えば、筐体の枠部と蓋体（表示パネルに相当）との間に挟み込むシールパッキンに、導電性糸や金属粉体等の導電素材を混入した導電性ゴムを用いたものが開示されている（例えば、特許文献１参照）。
【０００３】
この構造体は、導電性ゴムに混入された導電素材を筐体に接地させることで、筐体内の機器から輻射される電磁波による種々の障害を回避し、また、導電性ゴムにより、外部からの水や塵埃等の侵入を防止している。これにより、電磁シールド機能とシール機能とを併せ持つようにしている。
【０００４】
また、電磁シールド機能とシール機能とを併せ持つ従来の表示パネルの取付構造として、例えば、次に示すものが知られている。
この表示パネルの取付構造は、筐体の枠部に取り付けられる表示パネルの裏面（表示器側の面）の全面を、メッシュタイプの電磁波シールド材で覆い、且つ筐体の枠部と表示パネルとの間に、シリコンゴム製のシールパッキンを挟み込んだものである。
【０００５】
この表示パネルの取付構造においては、電磁シールド材を筐体に接地させることで、筐体内の表示器から輻射される電磁波による種々の障害を回避している。また、筐体の枠部と表示パネルとの間に挟み込むシールパッキンにシリコンゴムを用いることで、外部からの水や塵埃等の侵入を防止している。これにより、電磁シールド機能とシール機能とを併せ持つことができるとしている。
【特許文献１】特開平１０−２５６７７０号公報
【発明の開示】
【発明が解決しようとする課題】
【０００６】
前者のように、筐体の枠部と蓋体との間に挟み込むシールパッキンに導電性ゴムを用いた場合においては、筐体と導電性ゴムの導電素材との接触面積が少なく、且つ接触抵抗が高い。このため、十分な電磁波シールド機能を確保することが難しい。
また、導電性ゴムが高価な素材であるため、コスト高になり、しかも導電性ゴムからなるシールパッキンは、シール専用のシールパッキンに比べて、耐久性やシール性に劣るという問題がある。
【０００７】
一方、後者の場合においては、表示パネルの裏面の全面をメッシュタイプの電磁波シールド材で覆って、該電磁シールド材を筐体に接地させ、また、シール専用の比較的な安価なシリコンゴム製のシールパッキンを用いている。このため、十分な電磁シールド機能及びシール機能を確保することができる。
【０００８】
しかしながら、メッシュタイプの電磁波シールド材の取り付けは、表示パネルの裏面から該電磁シールド材の周囲をプレート等で押さえて、表示パネルと共に筐体の枠部に固定している。このため、電磁シールド材の周囲は固定できているが、表示パネルの裏面中央部は電磁波シールド材が浮き上がり、撓みや皺が発生し易い。
【０００９】
この結果、表示パネルの裏面中央部で、電磁波シールド材が浮き上がらないように、該電磁シールド材を慎重に表示パネルの裏面に取り付ける必要が生じ、電磁シールド材ひいては表示パネルの取付作業に時間と手間を要する。
また、表示パネルの裏面中央部に、多少でも電磁波シールド材の浮き上がりによる撓みや皺が発生すると、表示パネルの裏面側に配置された表示器の点灯表示時に、電磁波シールド材の撓みや皺が陰のように見え、表示器の表示が見難くなるという問題がある。
【００１０】
本発明は、このような不都合を解消するためになされたものであり、確実な電磁シールド機能とシール機能とを確保することができると共に、取付作業性及び表示器の表示の視認性の向上を図ることができる表示パネルの取付構造を提供することを目的とする。
【課題を解決するための手段】
【００１１】
上記目的を達成するために、本発明の表示パネルの取付構造は、表示器を備えた表示ユニットの前方に配置され、２枚の板材の間に電磁シールド材を介装した状態で一体に成形されると共に、前記表示器を外部から視認可能な透明度をもたせる表示パネルと、該表示パネルが取り付けられる枠部を有する筐体と、該筐体の前記枠部と前記表示パネルとの間をシールするシール部材とを備え、前記表示パネルを、前記電磁シールド材が前記筐体に電気的に接地するように、前記枠部に取り付けた構成としてある。
このように、表示パネルを２枚の板材の間に電磁シールド材を介装した状態で一体に成形して、表示パネルを、電磁シールド材が筐体に電気的に接地するように、枠部に取り付ることで、確実な電磁シールド機能を確保することができる。また、電磁シールド材に撓みや皺も生じないため、表示器の視認性の向上を図ることができる。
また、電磁シールド材の撓みや皺を考慮することなく、表示パネルを筐体の枠部に取り付けることができるので、表示パネルの取付作業性の向上を図ることができる。
更に、筐体の枠部と表示パネルとの間をシールするシール部材は、耐久性及びシール性に優れたシール専用のシール部材を用いることができるため、確実なシール機能を確保することができる。
【００１２】
また、本発明の表示パネルの取付構造は、前記板材を、アクリル板としてある。
このように、板材としてアクリル板を用いることで、軽量化を図ることができると共に、デザイン性の向上を図ることができる。
【００１３】
更に、本発明の表示パネルの取付構造は、前記シール部材を、シリコンゴム製のシールパッキンとしてある。
このように、シール部材としてシリコンゴム製のシールパッキンを用いることで、確実なシール機能を低コストで確保することができる。
【００１４】
更に、本発明の表示パネルの取付構造は、前記表示パネルの前記表示器側から該表示パネルを前記筐体の前記枠部に固定する固定プレートを備え、前記表示パネルの前記２枚の板材の内の前記表示器側に配置された前記板材を、該表示器から離間する側に配置された前記板材より外形を小さくして、前記表示器から離間する側に配置された前記板材の裏面周縁に、前記電磁シールド材を露出させ、該露出部分を前記固定プレートに接触させた状態で、該固定プレートを前記筐体に取り付けることにより、前記電磁シールド材を前記筐体に前記固定プレートを介して電気的に接地させた構成としてある。
このように、２枚の板材のうち、表示器から離間する側の板材の裏面周縁に露出した電磁シールド材に固定プレートを接触させた状態で、該固定プレートを筐体に取り付けることにより、表示パネルの筐体の枠部への固定と同時に電磁シールド材が筐体に電気的に接地される。これにより、表示パネルの取付作業のより容易化を図ることができる。
【００１５】
更に、本発明の表示パネルの取付構造は、前記電磁シールド材の前記露出部分と前記固定プレートとの間に導電性部材を介装し、該電磁シールド材を前記筐体に前記導電性部材及び前記固定プレートを介して電気的に接地させた構成としてある。
このように、電磁シールド材の前記露出部分と固定プレートとの間に導電性部材を介装することで、筐体の枠部及び固定プレートについて、固定プレートを電磁シールド材の前記露出部分と確実に接触させるための取付精度や寸法精度を考慮しなくてすむ。このため、設計的な負担を軽減することができると共に、電磁シールド材を筐体に容易且つ確実に接地させることができる。
【００１６】
更に、本発明の表示パネルの取付構造は、前記導電性部材を、導電性塗料としてある。
このように、導電性部材として導電性塗料を用いることで、導電性部材のコストを押えることができる。
【００１７】
更に、本発明の表示パネルの取付構造は、前記固定プレートに前記表示ユニット側に向けて突出するスペーサを設け、該スペーサに該表示ユニットの前記表示器の周囲を当接させた構成としてある。
このように、固定プレートに設けたスペーサに表示ユニットの表示器の周囲を当接させることで、表示パネルと表示器との距離を一定に保つことができる。これにより、表示器の表示の明瞭化すると共に、輝度が均一化して視認性の向上を図ることができる。
【００１８】
更に、本発明の表示パネルの取付構造は、前記スペーサの先端から前記固定プレートまで貫通するねじ挿通孔を形成し、前記表示ユニット側から挿入したねじを前記ねじ挿通孔に挿通して、該ねじのねじ軸を前記筐体に締め付けることにより、前記固定プレート及び前記表示ユニットを前記筐体に一体に取り付けた構成としてある。
このように、表示ユニット側からスペーサ及び固定プレート内のねじ挿通孔に挿通したねじのねじ軸を筐体に締め付けて固定プレート及び表示ユニットを筐体に一体に取り付けることで、表示ユニットを筐体に固定するための部品や加工が不要となる。これにより、構造の簡略化が図れると共に、表示ユニットの取付作業の容易化を図ることができる。
【発明の効果】
【００１９】
本発明の表示パネルの取付構造によれば、確実な電磁シールド機能とシール機能とを低コストで確保することができると共に、表示パネルの取付作業性及び表示器の表示の視認性の向上を図ることができる。
【発明を実施するための最良の形態】
【００２０】
以下、本発明の実施の形態を図を参照して説明する。
図１は本発明の第１の実施形態に係る表示パネルの取付構造を説明するための要部断面図、図２は図１の表示パネルの取付構造の分解図、図３は電磁シールド機能を説明するための要部断面図である。
【００２１】
本発明の第１の実施形態に係る表示パネルの取付構造は、図１及び図２に示すように、表示パネル１と、該表示パネル１が取り付けられる枠部２を有する筐体３と、該筐体３の枠部２と表示パネル１との間をシールするシリコンゴム製のシールパッキン（シール部材）４と、表示パネル１を筐体３の枠部２に固定する固定プレート５とを備えている。
【００２２】
（表示パネル）
表示パネル１は、２枚のアクリル板（板材）６，７の間に電磁シールド材８を介装した状態で両面より熱を加えて真空成形することで一体に成形されている。また、表示パネル１２は、筐体３内に収容された表示ユニット９の表示器１０前方に配置されるとともに、該表示器１０を外部から視認可能な透明度を有している。
【００２３】
表示パネル１の２枚のアクリル板６，７のうち、表示器１０側に配置されるアクリル板７（以下、裏面アクリル板７とする）は、表示器１０から離間する側に配置されるアクリル板６（以下、表面アクリル板６とする）より外形が小さくなっている。従って、表面アクリル板６の裏面側周縁には、電磁シールド材８が露出している。
【００２４】
電磁シールド材８としては、例えば、メッシュタイプの電磁シールド材や、導電性付与剤を塗布した含浸性基材を加熱及び加圧して成形した電磁シールド材（例えば、特開平５−１０２６９４号公報参照）等を用いることができる。なお、電磁シールド材８は、確実な電磁シールド機能を確保でき、且つ表示器１０を外部から視認可能な透明度が得られる表示パネル１とすることができる限りにおいて、特に限定されない。
【００２５】
（筐体）
筐体３は、例えば金属等の導電性材料によって形成されている。筐体３には、内部に収容された表示ユニット９の表示器１０前方に、表示パネル１が配置される開口部が設けられており、該開口部の内周部が枠部２とされている。
枠部２の表示器１０側を向く内面には、該外面側に向けて切り欠かれた段部１１が形成されている。該段部１１に、表示パネル１の表面アクリル板６の外周部が嵌め込まれるようになっている。
【００２６】
段部１１は、表示パネル１の表面アクリル板６の外周面に対向する内周面１２と、該表面アクリル板６の表面側周縁に対向する底面１３とを有している。表面アクリル板６の表面側周縁と段部１１の底面１３との間には、シリコンゴム製のシールパッキン４が介装されている。また、段部１１の上方位置で枠部２の表示器１０側を向く内面には、固定プレート５の取付ねじ１４が螺合されるねじ孔１５が周方向に複数箇所形成されている。
【００２７】
なお、段部１１に表示パネル１の表面アクリル板６の外周部を嵌め込んだ状態においては、表面アクリル板６の裏面側周縁に露出する電磁シールド材８は、枠部２の表示器１０側を向く内面から表示器１０側に若干突出して配置されている。これにより、シールパッキン４の押し潰し代が確保されている。
【００２８】
（固定プレート）
固定プレート５は、例えば金属等の導電性材料で形成されている。また、固定プレート５には、筐体３の枠部２に形成されたねじ孔１５に螺合される取付ねじ１４のねじ挿通孔１６が、ねじ孔１５に対応して形成されている。
【００２９】
そして、固定プレート５のねじ挿通孔１６に挿通した取付ねじ１４のねじ軸を、筐体３の枠部２のねじ孔１５に螺合して締め付けることにより、固定プレート５が枠部２に取り付けられる。
【００３０】
このとき、固定プレート５の内周側の表示器１０から離間する側の側面は、表示パネル１の表面アクリル板６の裏面側周縁に露出する電磁シールド材８に接触した状態で、該表面アクリル板６を押し付けている。これにより、電磁シールド材８が、固定プレート５を介して筐体３に電気的に接地され、確実な電磁シールド機能が確保される。また、シールパッキン４が、表面アクリル板６と枠部２の段部１１の底面１３との間で押し潰され、確実なシール機能が確保される。
【００３１】
また、固定プレート５が枠部２に取り付けられた状態においては、固定プレート５の内周側の面は、表示パネル１の裏面アクリル板７の外周面に当接している。これにより、固定プレート５と裏面アクリル板７との間から電磁シールド材８側に筐体３内に浮遊する塵埃等が侵入しない構造とされている。
【００３２】
上記のように構成された表示パネルの取付構造においては、図３に示すように、筐体３内の表示ユニット９等からから輻射される電磁波は、表示パネル１と一体に成形された電磁波シールド材８から固定プレート５を介して筐体３に電気的に接地される。これにより、筐体３内における確実な電磁波シールド機能を確保して、電磁波による種々の障害を回避することができる。
【００３３】
また、表示パネル１の表面アクリル板６と、筐体３の枠部２に設けた段部１１の底面１３との間で押し潰されたシールパッキン４により、確実なシール機能を確保して、外部からの水や塵埃等の侵入を防止することができる。
【００３４】
このように、この実施形態では、表面アクリル板６と裏面アクリル板７との間に電磁シールド材８を介装した状態で一体に成形して、表示パネル１を、電磁シールド材８が筐体３に電気的に接地するように、枠部２に取り付けている。これにより、確実な電磁シールド機能を確保することができ、しかも電磁シールド材８に撓みや皺も生じないため表示器１０の視認性の向上を図ることができる。
【００３５】
また、電磁シールド材８の撓みや皺を考慮することなく、表示パネル１を筐体３の枠部２に取り付けることができるので、表示パネル１の取付作業性の向上を図ることができる。
【００３６】
更に、固定プレート５を、表面アクリル板６の裏面周縁に露出した電磁シールド材８に接触させた状態で筐体３に取り付けているので、表示パネル１の筐体３の枠部２への固定と同時に電磁シールド材８を筐体３に電気的に接地させることができる。これにより、表示パネル１の取付作業のより容易化を図ることができる。
【００３７】
更に、筐体３の枠部２と表示パネル１との間をシールするシール部材として、耐久性及びシール性に優れたシール専用のシールパッキン４を用い、しかもシールパッキン４を安価なシリコンゴム製としている。これにより、確実なシール機能を低コストで確保することができる。
【００３８】
また、表示パネル１の板材としてアクリル板６，７を用いているので、軽量化を図ることができると共に、デザイン性の向上を図ることができる。
【００３９】
次に、図４及び図５を参照して、本発明の第２の実施形態に係る表示パネルの取付構造を説明する。なお、上記第１の実施形態と重複する部分については各図に同一符号を付してその説明を省略する。
【００４０】
本発明の第２の実施形態に係る表示パネルの取付構造は、図４に示すように、枠部２の表示器１０側を向く内面に形成される段部１１ａの表示パネル１の板厚方向の深さが、上記第１の実施形態の段部１１より深くされている。また、表面アクリル板６の裏面周縁に露出した電磁シールド材８と裏面アクリル板７の外周面とに跨がるように、導電性塗料２０が塗布されている。
【００４１】
また、段部１１ａに表示パネル１の表面アクリル板６の外周部を嵌め込んだ状態においては、導電性塗料２０は、枠部２の表示器１０側を向く内面から表示器１０側に若干突出して配置されている。これにより、シールパッキン４の押し潰し代が確保されている。
【００４２】
そして、この実施形態では、導電性塗料２０が、筐体３に取付ねじ１４を介して取り付けられた固定プレート５の内周側の表示器１０から離間する側の側面によって、表面アクリル板６側に押し付けられる。これにより、導電性塗料２０が押し潰されると共に、シールパッキン４が、表面アクリル板６と枠部２の段部１１ａの底面１３との間で押し潰される。
【００４３】
この結果、図５に示すように、筐体３内の表示ユニット９等からから輻射される電磁波が、電磁シールド材８、導電性塗料２０及び固定プレート５を介して筐体３に電気的に接地され、確実な電磁シールド機能が確保される。また、表示パネル１の表面アクリル板６と枠部２の段部１１ａの底面１３との間で押し潰されたシールパッキン４により、確実なシール機能が確保される。
【００４４】
更に、固定プレート５が枠部２に取り付けられた状態においては、固定プレート５の内周側の面と表示パネル１の裏面アクリル板７の外周面との間には、導電性塗料２０が介装された状態となっている。これにより、固定プレート５と裏面アクリル板７との間から電磁シールド材８側に筐体３内に浮遊する塵埃等が侵入しない構造となっている。
【００４５】
このように、この実施形態では、表示パネル１の表面アクリル板６の裏面周縁に露出した電磁シールド材８と裏面アクリル板７の外周面とに跨がるように導電性塗料２０を塗布している。
従って、筐体３の枠部２及び固定プレート５について、固定プレート５を電磁シールド材８の前記露出部分と確実に接触させるための取付精度や寸法精度を考慮しなくてすむ。また、固定プレート５及び裏面アクリル板７についても、固定プレート５の内周側の面を裏面アクリル板７の外周面に当接させるための取付精度や寸法精度を考慮しなくてすむ。これにより、設計的な負担を軽減することができると共に、電磁シールド材８を筐体３に容易且つ確実に接地させることができる。
【００４６】
また、導電性部材として、材料コストが安価で施工が簡単な導電性塗料２０を用いているので、導電性部材のコストを押えることができる。その他の構成及び作用効果は上記第１の実施形態と同様である。
【００４７】
次に、図６及び図７を参照して、本発明の第３の実施形態に係る表示パネルの取付構造を説明する。なお、上記第１の実施形態と重複する部分については各図に同一符号を付してその説明を省略する。
【００４８】
本発明の第３の実施形態に係る表示パネルの取付構造は、図６及び図７に示すように、固定プレート５の各ねじ挿通孔１６の周囲に、表示ユニット９側に向けて突出する複数のスペーサ３０が加締め等により一体に固定されている。スペーサ３０には、先端面から固定プレート５のねじ挿通孔１６まで貫通するねじ挿通孔３１が該ねじ挿通孔１６とほぼ同心で、且つほぼ同径に形成されている。また、表示ユニット９の表示器１０の周囲に配置された取付プレート３２には、ねじ挿通孔３１とほぼ同径のねじ挿通孔３３が、筐体３の枠部２に形成されたねじ孔１５に対応して形成されている。
【００４９】
そして、この実施形態では、まず、スペーサ３０の先端面に表示ユニット９の取付プレート３２を、ねじ挿通孔３１とねじ挿通孔３３とがほぼ一致するように当接させ、この状態で取付プレート３２のねじ挿通孔３３から挿入する。次いで、取付ねじ３４を、スペーサ３０のねじ挿通孔３１及び固定プレート５のねじ挿通孔１６に挿通して、該取付ねじ３４のねじ軸を筐体３の枠部２に形成されたねじ孔１５に螺合して締め付ける。これにより、固定プレート５及び表示ユニット９が筐体３に一体に取り付けられる。
【００５０】
なお、この実施形態では、上記第１の実施形態と同様に、固定プレート５を、表示パネル１の表面アクリル板６の裏面周縁に、露出した電磁シールド材８に直接接触させてある。しかし、これに代えて、上記第２の実施形態のように、固定プレート５と表面アクリル板６の裏面周縁に露出した電磁シールド材８との間に、導電性塗料２０を介装させるようにしてもよい。
【００５１】
このように、この実施形態では、固定プレート５に設けたスペーサ３０の先端面に表示ユニット９の取付プレート３２を当接させているので、表示パネル１と表示器１０との距離を一定に保つことができる。これにより、表示器１０の表示が明瞭化すると共に、輝度が均一化し、視認性の向上を図ることができる。
【００５２】
また、表示ユニット９側からスペーサ３０及び固定プレート５内のねじ挿通孔３１，１６に挿通した該取付ねじ３４のねじ軸を、筐体３側のねじ孔１５に締め付けることで、固定プレート５及び表示ユニット８を筐体３に一体に取り付けている。これにより、表示ユニット９を筐体３に固定するための部品や加工が不要となり、構造の簡略化が図れると共に、表示ユニット９の取付作業の容易化を図ることができる。その他の構成及び作用効果については上記第１の実施形態と同様である。
【００５３】
なお、本発明の表示器、表示ユニット、板材、電磁シールド材、表示パネル、枠部、筐体、シール部材、固定プレート、導電性部材、スペーサ、ねじ挿通孔及びねじ等の構成は上記各実施形態に例示したものに限定されるものではなく、本発明の要旨を逸脱しない範囲において適宜変更可能である。
【産業上の利用可能性】
【００５４】
本発明の表示パネルの取付構造は、表示ランプやＬＥＤ等の表示器を備えた表示ユニットの前方に配置される表示パネルの取付構造に限らず、ＬＣＤ、ＣＲＴ、ＰＤＰ等の表示器を備えた表示ユニットの前方に配置される表示パネルの取付構造にも好適に用いることができる。
【図面の簡単な説明】
【００５５】
【図１】本発明の第１の実施形態に係る表示パネルの取付構造を説明するための要部断面図である。
【図２】図１の表示パネルの取付構造の分解図である。
【図３】電磁シールド機能を説明するための要部断面図である。
【図４】本発明の第２の実施形態に係る表示パネルの取付構造を説明するための要部断面図である。
【図５】電磁シールド機能を説明するための要部断面図である。
【図６】本発明の第３の実施形態に係る表示パネルの取付構造を説明するための要部断面図である。
【図７】図６の表示パネルの取付構造の分解図である。
【符号の説明】
【００５６】
１  表示パネル
２  枠部
３  筐体
４  シールパッキン（シール部材）
５  固定プレート
６  表面アクリル板（板材）
７  裏面アクリル板（板材）
８  電磁シールド材
９  表示ユニット
１０  表示器
１６，３１  ねじ挿通孔
２０  導電性塗料（導電性部材）
３０    スペーサ
３４  取付ねじ
【図１】
2006269953.tif 000003
【図２】
2006269953.tif 000004
【図３】
2006269953.tif 000005
【図４】
2006269953.tif 000006
【図５】
2006269953.tif 000007
【図６】
2006269953.tif 000008
【図７】
2006269953.tif 000009